(57)【特許請求の範囲】
【請求項１】
上下に貫通する開口部が形成された枠状の周側面部材と、下面に固有振動数を不特定にする複数本のリブ状衝撃拡散片が形成された板状の底面部材とからなり、該底面部材を前記周側面部材に対し遊着手段を介して取着するとともに、前記周側面部材の開口部内周と相対する該底面部材の外周との間に隙間が生じるように該開口部の内径寸法および該底面部材の外径寸法を設定することにより、微小範囲を自在に揺動可能なるように該底面部材を設けたことを特徴とする遊技機の球受皿。
【請求項２】
上下に貫通する開口部が形成された枠状の周側面部材と、下面に固有振動数を不特定にする複数本のリブ状衝撃拡散片が形成された板状の底面部材とからなり、該底面部材の側縁より垂下状の筒体を一体に形成し、前記周側面部材に一体の支持軸を突設し、該支持軸は該筒体よりも細径であることで該支持軸に該筒体が十分な余裕をもって遊嵌され、かつ該支持軸は該筒体よりも長く形成されていることで該筒体は軸方向にも移動可能に支持され、さらに前記周側面部材の開口部内周と相対する該底面部材の外周との間に隙間が生じるように該開口部の内径寸法および該底面部材の外径寸法を設定することにより、該底面部材を該開口部内に上下および前後左右に微動し得るように設けたことを特徴とする遊技機の球受皿。
【発明の詳細な説明】
【技術分野】
【０００１】
この発明は、パチンコ機、アレンジボール機、雀球遊技機、スロットマシン、パロット遊技機等の遊技機において、その球受皿に遊技球が当たって大きく反発するのを防止し得る球受皿の構造に関するものである。
【背景技術】
【０００２】
パチンコ機、スロットマシン等の球体（直径約１１ｍｍの鋼球からなるパチンコ球）を遊技媒体とする遊技機では、一般に遊技機の前面にその景品球払出口から払い出された遊技球を受けるために球受皿が設けられている。そして該遊技機に隣接するようにカード挿入式、或いは貨幣挿入式等の球貸機が設けられ、該球貸機の前面には貸球補給用ノズルが旋回自在に設けられ、遊技者が手動操作して該ノズルを前記球受皿の上方部に位置させ、その状態で該球貸機の球貸ボタンを押すことにより該ノズルから所定数の遊技球が該球受皿上に落下補給されるようにしている。
【０００３】
ところで、近年のパチンコ機は、液晶表示装置等の大型の電子ディスプレイ装置が遊技盤に設けられるようになるに伴って遊技盤面が次第に下方に拡大され、この拡大に伴い上記球受皿を次第に低位置に設けざるを得なくなってきている。このため、既存の球貸機の貸球補給用ノズルの先端開口と該球受皿の上面とはかなり大きく離れることとなり、そのために該ノズルから流出した遊技球が球受皿の上面に激しく衝突し大きく跳ね返って該球受皿からこぼれ落ちるという現象が増加している。
【０００４】
そこで下記特許文献１に示された遊技機は、軟質なウレタン等の合成樹脂を材料とする衝撃吸収板を球受皿の上面に面一に配置し、パチンコ球の衝撃力を緩和させることによりパチンコ球の飛び出しを防止しようとするものであった。
また、下記特許文献２に示された遊技機は、球受皿に遊技球が供給される球供給時期を判定し、その供給時期に先立って球零れ規制部材を進出動作させて、球受皿底面で跳ね返ったとしても飛び出しが抑えられるようにするものである。
【特許文献１】特開２００２−２１０１７３号公報
【特許文献２】特開２００５−２３７７８５号公報
【発明の開示】
【発明が解決しようとする課題】
【０００５】
ところが、特許文献１のように球受皿の上面に衝撃吸収板を配置すると、その設計如何によってはむしろ跳ね返りが大きくなるおそれがあると共に、減衰性の特殊な材料を使うためにヘタリが発生しパチンコ球を転がり難くするという問題、および、使用中に汚れが付着し黒ずみ易いという問題、および、異種類の材料を使用することから遊技機の廃棄時に分別の必要が生じる等の問題がある。また、特許文献２の遊技機では、球零れ規制部材を動作させるための電気的駆動源およびその制御装置を要し構成が複雑となるので製造コストが高くならざるを得ないと共に、不意に球零れ規制部材が上昇することから遊技者の手指を怪我させるおそれがあった。
そこでこの発明は、上記のような問題が生じさせることなく、遊技球の反発を最小限に抑えられる球受皿を提供しようとするものである。
【課題を解決するための手段】
【０００６】
そのために請求項１に記載した遊技機の球受皿の発明は、上下に貫通する開口部が形成された枠状の周側面部材と、下面に固有振動数を不特定にする複数本のリブ状衝撃拡散片が形成された板状の底面部材とからなり、該底面部材を前記周側面部材に対し遊着手段を介して取着するとともに、前記周側面部材の開口部内周と相対する該底面部材の外周との間に隙間が生じるように該開口部の内径寸法および該底面部材の外径寸法を設定することにより、微小範囲を自在に揺動可能なるように該底面部材を設けたことを特徴とする。
また請求項２に記載した発明は、上下に貫通する開口部が形成された枠状の周側面部材と、下面に固有振動数を不特定にする複数本のリブ状衝撃拡散片が形成された板状の底面部材とからなり、該底面部材の側縁より垂下状の筒体を一体に形成し、前記周側面部材に一体の支持軸を突設し、該支持軸は該筒体よりも細径であることで該支持軸に該筒体が十分な余裕をもって遊嵌され、かつ該支持軸は該筒体よりも長く形成されていることで該筒体は軸方向にも移動可能に支持され、さらに前記周側面部材の開口部内周と相対する該底面部材の外周との間に隙間が生じるように該開口部の内径寸法および該底面部材の外径寸法を設定することにより、該底面部材を該開口部内に上下および前後左右に微動し得るように設けたことを特徴とする。
【発明の効果】
【０００７】
この発明の球受皿によれば、遊技球の反発が抑えられ、球受皿から遊技球が飛び出すのを確実に防止することができる。
また、構成上格別なコストを要さず、同一材料によって容易に製作でき、従来の減衰性材料のようにヘタリが発生したり遊技球を転がり難くするという問題や汚れが付着し易いといった問題がないなど、種々の利点がある。
【発明を実施するための最良の形態】
【０００８】
次にこの発明の実施形態を説明する。図１はパチンコ機１の正面を示し、２はその隣に設けられた球貸機である。パチンコ機１は遊技盤３の中央に大型の電子ディスプレイ装置４が設けられ、該遊技盤の下方部には、図２に示したように、この発明に係る球受皿５がプラスチック製の皿カバー６によって覆って設けられている。７は球貸機２の前面に水平面内で旋回自在なるように突設された貸球補給用ノズルで、該ノズルを旋回することにより該ノズルの先端開口を該球受皿５の上面に対向させられるように構成している。そして、球貸機２にカード等を挿入しボタンを操作することにより遊技球が該ノズル７の先端流出口から該球受皿５に落下し自重で球発射部８方向に流れ遊技に供される。なお、９は景品球払出口で、該払出口から景品として排出された遊技球も該球受皿５に一時貯留される。また、１０は球受皿５から溢れた遊技球を貯留するためにパチンコ機１の前面下部に設けられた下皿、１１は打球発射用ハンドルである。
【０００９】
しかして、この発明に係る球受皿５は、図５に皿カバー６を取り外したところを斜め下方より見た状態で示し、図６にその分解斜視図を示したように、上下に貫通する開口部１２ａが形成された枠状の周側面部材１２と、該周側面部材の開口部１２ａに設けられる底面部材１３とからなる。なお、周側面部材１２および底面部材１３は例えばＡＢＳ樹脂により成形され、１４は該周側面部材１２に一体に形成された側板である。また、１５は周側面部材１２の外側面に突設された引掛片、１６ａ，１６ｂは周側面部材１２の下方部で側板１４の前面に水平に突設された一対の支持軸である。なお、このように側板１４に支持軸１６ａ，１６ｂを突設することにより、該側板１４にいわゆるヒケが成形時に発生したとしても、周側面部材１２の底部１２ａにそのヒケが表れることなく見栄えを損なうことがなく、また、球受皿５上の遊技球の流れがこのようなヒケによって阻害されるおそれがない。
【００１０】
また、底面部材１３は周側面部材１２の開口部１２ａに遊嵌し得る厚さ２ｍｍ程度の板状のもので、その外周縁１７は段状に低下した形状に形成されていると共に、該底面部材１３の前側縁に上方折曲形状の引掛枠１８が一体に形成され、該底面部材１３の後側縁より垂下状で横向きに一対の筒体１９ａ，１９ｂを一体に形成している。
【００１１】
このため、筒体１９ａ，１９ｂを支持軸１６ａ，１６ｂに外嵌すると同時に引掛枠１８を引掛片１５に係合させ、該支持軸１６ａ，１６ｂの先端面に該支持軸より大径の座金２０ａ，２０ｂを当接させ、該座金に貫挿したビス２１ａ，２１ｂを支持軸１６ａ，１６ｂに螺着することにより、該底面部材１３は該開口部１２ａ内に下側から遊嵌され、外周縁１７が該周側面部材１２の下面に相対した状態で取り付けられる。そして、この取付状態で底面部材１３の外周と該開口部１２ａ内周との間には０．５ｍｍ程の隙間ｇが生じるように該底面部材１３の外径寸法および該開口部１２ａの内径寸法が設定されている。なお、上記ビス２１ａ，２１ｂに代えて座金が頭部に一体に形成されたビス（図示せず）、または大径の頭部を持つビスを使用することもできる。
【００１２】
また、前記筒体１９ａ，１９ｂは支持軸１６ａ，１６ｂに十分な余裕をもって遊嵌し得るように内径ｄが支持軸１６ａ，１６ｂの外径ｆよりも１ｍｍ程度大きく形成され、また、支持軸１６ａ，１６ｂの先端面に当接させた座金２０ａ，２０ｂと筒体１９ａ，１９ｂとの間に０．５ｍｍ程の隙間ｈができるようにしている。また、前記引掛枠１８についても引掛片１５が十分な余裕をもって遊嵌し得るように、内径ｊおよび内径ｋが引掛片１５の外径ｍおよび外径ｎよりも夫々１ｍｍ程度大きく形成されている。こうして底面部材１３は周側面部材１２内にて前後左右および上下方向に微動し得るように取り付けられる。
【００１３】
このように構成した球受皿５では、前記ノズル７から落下した遊技球が底面部材１３に衝突し、その衝撃により該底面部材１３を上記微小範囲内にて自在に揺動させるため、その衝突のエネルギーが該底面部材１３に吸収される。このため底面部材１３に衝突した遊技球がその反発によって跳ね上がるのを大幅に抑えることができる。
【００１４】
なおこの実施形態では、上記引掛片とビス止とにより周側面部材１２に対し底面部材１３を遊着したが、底面部材１３を遊着する手段はこの実施形態に限られない。例えば図７に示した実施形態は、皿カバー６の内側に一体に規制片６ａを形成し、皿カバー６を装着したとき該規制片６ａの先端が支持軸１６ａ，１６ｂの先端面に当接または対向するようにし、筒体１９ａ，１９ｂが該支持軸１６ａ，１６ｂから抜けないようにすると共に、該規制片６ａと筒体１９ａ，１９ｂとの間に０．５ｍｍ程の隙間ｈができるようにしたものである。
【００１５】
また、図８に示した実施形態は、支持軸１６ａ，１６ｂの先端部２２の外径を筒体１９ａ，１９ｂの内径より太く形成し、該先端部が弾性的に拡縮するように該支持軸にスリ割２３を形成し、該先端部２２を収縮させて筒体１９ａ，１９ｂを該支持軸１６ａ，１６ｂに遊嵌することにより該先端部２２により抜脱が防止され、ワンタッチで該底面部材１３を遊着できるようにし、先端部２２の規制面２２ａと筒体１９ａ，１９ｂとの間に同様の隙間ｈができるようにしたものである。
【００１６】
一方、図９に示した実施形態は、底面部材１３の下面に厚さ２ｍｍ、高さ１０ｍｍ程度の複数本のリブ状衝撃拡散片２４を４ｍｍのピッチにて平行に形成したもので、このように底面部材１３に複数本のリブ状衝撃拡散片２４を形成することにより、該底面部材１３の固有振動数が不特定になると共に、該該底面部材１３に加えられた衝突のエネルギーを拡散させ易くなり、遊技球の反発が一層効果的に抑えられるようになる。
【００１７】
また以上の実施形態はパチンコ機の前面上部に設けられた球受皿５について説明したが、この発明は前記下皿１０に適用してもよい。また、球受皿５と下皿１０とが一体となったパチンコ機の球受皿にこの発明を適用してもよい。その場合、一般的に球受皿の位置がさらに低くなるために、遊技球の飛び出しが一層問題となるが、この発明により遊技球の飛び出しを効果的に防止することができるようになる。
【００１８】
また、この発明は遊技球の反発が問題となるその他の部所にも適用することもできる。例えば、図１０にパチンコ機の裏面を示したように、パチンコ機の裏側上部に設けられた景品球貯留用の球受皿５ａにこの発明に係る底面部材１３を設けることにより、該球受皿５ａ上に景品球補給筒２５から落下するパチンコ球が衝突する際の反発が抑えられ遊技球が該球受皿５ａから飛び出すことのないようにすることができる。また、前記球受皿５から溢れた遊技球を前記下皿１０に移動させるべくパチンコ機内に設けられた球誘導樋２６の底部に底壁が前方に傾斜したバケツ状の球受皿５ｂが設け該遊技球を下皿１０に指向させるようにしているが、該球受皿５ｂについてもこの発明に係る底面部材１３を設けることにより、該球受皿５ｂ内に落下した遊技球の反発が抑えられ遊技球の流れをスムースにすることができる。
【産業上の利用可能性】
【００１９】
この発明は実施形態に示したパチンコ機に限らず、雀球遊技機、スロットマシン等の遊技機、球貸機、或いはその遊技球を遊技場内で移動させるための島還元装置等、種々の個所に適用することができる。
【図面の簡単な説明】
【００２０】
【図１】この発明に係るパチンコ機および球貸機の正面図。
【図２】図１のパチンコ機の球受皿の平面図。
【図３】図２のＡ−Ａ線断面図。
【図４】図３のＢ−Ｂ線矢視図。
【図５】この発明に係る球受皿を斜め下方より見た斜視図。
【図６】図５の球受皿の分解斜視図。
【図７】この発明の他の実施形態を示す球受皿の断面図。
【図８】この発明の他の実施形態を示す球受皿の断面図。
【図９】この発明の他の実施形態を示す底面部材の斜視図。
【図１０】この発明に係るパチンコ機の裏面図。
【符号の説明】
【００２１】
５                球受皿
６                皿カバー
７                貸球補給用ノズル
１２              周側面部材
１２ａ            開口部
１３              底面部材
１５              引掛片
１６ａ，１６ｂ    支持軸
１８              引掛枠
１９ａ，１９ｂ    筒体
２０ａ，２０ｂ    座金
２１ａ，２１ｂ    ビス
２４              リブ状衝撃拡散片
ｇ，ｈ            隙間
ｄ                筒体の内径
ｆ                支持軸の外径
ｊ，ｋ            引掛枠の内径
ｍ，ｎ            引掛片の外径
【図１】
0005199546.tif 000002
【図２】
0005199546.tif 000003
【図３】
0005199546.tif 000004
【図４】
0005199546.tif 000005
【図５】
0005199546.tif 000006
【図６】
0005199546.tif 000007
【図７】
0005199546.tif 000008
【図８】
0005199546.tif 000009
【図９】
0005199546.tif 000010
【図１０】
0005199546.tif 000011